(57)【要約】【課題】ラチェットレンチと同じ要領で使用することができるオープンエンドレンチの提供。【解決手段】本体１１と、該本体１１の一端部にあるレンチヘッド１１１が二股になるように第１のアーム１１１Ａ及び第２のアーム１１１Ｂと、を備えたオープンエンドレンチ１０において、第１のアーム１１１Ａと第２のアーム１１１Ｂとの間には、一側に開口を有する挟持空間１１２が画成されており、第１及び第２のアームにそれぞれ取り付けられていると共に第１の付勢手段２２及び第２の付勢手段３２により付勢される第１の挟持ブロック２１及び第２の挟持ブロック３１を備えることを特徴とするオープンエンドレンチを提供する。【選択図】図３
0003177648.tif 000002
【実用新案登録請求の範囲】
【請求項１】
本体と、該本体の一端部にあるレンチヘッドが二股になるように第１及び第２のアームと、を備えたオープンエンドレンチにおいて、
前記第１及び第２のアームの間には、一側に開口を有する挟持空間が画成されていると共に、前記第１及び第２のアームは、前記挟持空間に面する第１の端面と第２の端面とをそれぞれ有しており、
前記第１のアームには、前記第１の端面に開口する第１の摺動溝が前記第１の端面に対して斜めに延伸するように形成されていると共に、該第１の摺動溝内に第１の挟持ブロックが前記第１の摺動溝に沿って摺動可能、且つ一端部が第１の露出部として前記挟持空間に露出することができるように取り付けられており、
前記第２のアームには、前記第２の端面に開口する第２の摺動溝が前記第１の摺動溝に対して平行に、且つ前記第２の端面に対して斜めに延伸するように形成されていると共に、該第２の摺動溝内に第２の挟持ブロックが、前記第２の摺動溝に沿って摺動可能、且つ前記挟持空間に露出することができる第２の露出部を有するように取り付けられており、
更に、前記第１の摺動溝内には、前記第１の挟持ブロックを前記挟持空間に露出させる付勢力を前記第１の挟持ブロックに与える第１の付勢手段が取り付けられており、
前記第２の摺動溝内には、前記第２の挟持ブロックを前記挟持空間に露出させる付勢力を前記第２の挟持ブロックに与える第２の付勢手段が取り付けられていることを特徴とするオープンエンドレンチ。
【請求項２】
前記第１の挟持ブロックには、前記第１の摺動溝に平行な係止溝が形成されており、
前記第１のアームを挿通してから前記係止溝に嵌まり込んで、前記第１の挟持ブロックの前記挟持空間に露出する限界位置を設定する制限ブロックを更に備えていることを特徴とする請求項１に記載のオープンエンドレンチ。
【請求項３】
前記第２の摺動溝の前記第２の端面における開口に隣接する制限壁が前記第２のアームに形成されており、
前記第２の付勢手段は、前記第２の挟持ブロックに与える付勢力が、前記第２の挟持ブロックを前記制限壁側に押し付けることもできるように配置されていることを特徴とする請求項１または請求項２に記載のオープンエンドレンチ。
【請求項４】
前記第１の挟持ブロックの前記第１の露出部には、前記第１の摺動溝に平行な第１の挟持面と、前記第１の挟持面の前記本体側で連続的に接続し、且つ前記第１の挟持面と第１の所定角度を成す第２の挟持面と、前記第２の挟持面の前記本体側で連続的に接続し、且つ前記第１の挟持面に平行な第３の挟持面と、前記第３の挟持面の前記本体側で連続的に接続し、且つ前記第２の挟持面に平行な第４の挟持面と、前記第１の挟持面の前記第１のアームの先端側で連続的に接続し、且つ前記第２の挟持面に略平行な斜面と、が形成されており、
前記第２の挟持ブロックの前記第２の露出部には、前記第１の挟持面に平行な第５の挟持面と、前記第５の挟持面の前記第２のアームの先端側で連続的に接続し、且つ前記第５の挟持面と前記第１の所定角度より大きい第２の所定角度を成す第６の挟持面と、が形成されていることを特徴とする請求項３に記載のオープンエンドレンチ。
【請求項５】
前記第１の所定角度は１２０°であり、前記第２の所定角度は１４０°であることを特徴とする請求項４に記載のオープンエンドレンチ。
【考案の詳細な説明】
【技術分野】
【０００１】
本考案はオープンエンドレンチに関し、特に、従来よりも便利なオープンエンドレンチに関する。
【背景技術】
【０００２】
従来のオープンエンドレンチを使用する時は、ナットやねじ（のヘッド）などの作業対象を一回回す度、レンチを作業対象から外してから回しやすい位置でもう一回挟持し直す必要がある。
【０００３】
この欠点を解消するため、ラチェットレンチが開発されたが、ラチェットレンチは円形形状に沿うラチェット構成を使用するためナットやねじなどの作業対象が嵌められる円形の孔も必要であり、即ち「オープンエンド構造」でないため、作業対象をその孔に嵌める時に求められる精度はオープンエンドレンチ以上になる。
【考案の概要】
【考案が解決しようとする課題】
【０００４】
本考案は、上記問題に鑑みて、ラチェットレンチと同じ要領で使用することができるオープンエンドレンチの提供を目的とする。
【課題を解決するための手段】
【０００５】
上記目的を達成すべく、本考案は、本体と、該本体の一端部にあるレンチヘッドが二股になるように第１及び第２のアームと、を備えたオープンエンドレンチにおいて、前記第１及び第２のアームの間には、一側に開口を有する挟持空間が画成されていると共に、前記第１及び第２のアームは、前記挟持空間に面する第１の端面と第２の端面とをそれぞれ有しており、前記第１のアームには、前記第１の端面に開口する第１の摺動溝が前記第１の端面に対して斜めに延伸するように形成されていると共に、該第１の摺動溝内に第１の挟持ブロックが前記第１の摺動溝に沿って摺動可能、且つ一端部が第１の露出部として前記挟持空間に露出することができるように取り付けられており、前記第２のアームには、前記第２の端面に開口する第２の摺動溝が前記第１の摺動溝に対して平行に、且つ前記第２の端面に対して斜めに延伸するように形成されていると共に、該第２の摺動溝内に第２の挟持ブロックが前記第２の摺動溝に沿って摺動可能、且つ前記挟持空間に露出することができる第２の露出部を有するように取り付けられており、更に、前記第１の摺動溝内には、前記第１の挟持ブロックを前記挟持空間に露出させる付勢力を前記第１の挟持ブロックに与える第１の付勢手段が取り付けられており、前記第２の摺動溝内には、前記第２の挟持ブロックを前記挟持空間に露出させる付勢力を前記第２の挟持ブロックに与える第２の付勢手段が取り付けられていることを特徴とするオープンエンドレンチを提供する。
【０００６】
上記オープンエンドレンチにおいて、前記第１の挟持ブロックには、前記第１の摺動溝に平行な係止溝が形成されており、また、前記第１のアームを挿通してから前記係止溝に嵌まり込んで、前記第１の挟持ブロックの前記挟持空間に露出する限界位置を設定する制限ブロックを更に備えていることが好ましい。
【０００７】
上記オープンエンドレンチにおいて、前記第２の摺動溝の前記第２の端面における開口に隣接する制限壁が前記第２のアームに形成されており、前記第２の付勢手段は、前記第２の挟持ブロックに与える付勢力が、前記第２の挟持ブロックを前記制限壁側に押し付けることもできるように配置されていることが好ましい。
【０００８】
上記オープンエンドレンチにおいて、前記第１の挟持ブロックの前記第１の露出部には、前記第１の摺動溝に平行な第１の挟持面と、前記第１の挟持面の前記本体側で連続的に接続し、且つ前記第１の挟持面と第１の所定角度を成す第２の挟持面と、前記第２の挟持面の前記本体側で連続的に接続し、且つ前記第１の挟持面に平行な第３の挟持面と、前記第３の挟持面の前記本体側で連続的に接続し、且つ前記第２の挟持面に平行な第４の挟持面と、前記第１の挟持面の前記第１のアームの先端側で連続的に接続し、且つ前記第２の挟持面に略平行な斜面と、が形成されていることが好ましい。
【０００９】
前記第２の挟持ブロックの前記第２の露出部には、前記第１の挟持面に平行な第５の挟持面と、前記第５の挟持面の前記第２のアームの先端側で連続的に接続し、且つ前記第５の挟持面と前記第１の所定角度より大きい第２の所定角度を成す第６の挟持面と、が形成されていることが好ましい。
【００１０】
上記オープンエンドレンチにおいて、前記第１の所定角度は１２０°であり、前記第２の所定角度は１４０°であることが好ましい。
【考案の効果】
【００１１】
上記構成により、本考案のオープンエンドレンチはナットやねじなどの作業対象を回す度にオープンエンドレンチを作業対象から外してから回しやすい位置でもう一回挟持し直す必要がなく、ラチェットレンチと同じ要領で使用することができるオープンエンドレンチを提供することができる。
【図面の簡単な説明】
【００１２】
【図１】本考案のオープンエンドレンチの好ましい実施形態が示されている斜視図である。
【図２】本考案のオープンエンドレンチにおけるレンチヘッドの分解図である。
【図３】本考案のオープンエンドレンチにおけるレンチヘッドの断面図である。
【図４】第１の挟持ブロックの構成が示されている斜視図である。
【図５】第２の挟持ブロックの構成が示されている斜視図である。
【図６】本考案のオープンエンドレンチの操作方法が示されている説明図である。
【図７】本考案のオープンエンドレンチの操作方法が示されている説明図である。
【図８】本考案のオープンエンドレンチのもう一つの使用状態が示されている説明図である。
【考案を実施するための形態】
【００１３】
以下では図面を参照しながら、本考案の好ましい実施形態について詳しく説明する。
【００１４】
図１は本考案のオープンエンドレンチの好ましい実施形態が示されている斜視図である。
【００１５】
図示されているように、該オープンエンドレンチ１０は棒状に形成された本体１１と、本体１１の両端部にそれぞれ形成されているレンチヘッド１１１と、を備えている。２つのレンチヘッド１１１は同じ構成を有するので、以下ではその一つのみを詳しく説明する。
【００１６】
図２はレンチヘッド１１１の分解図であり、図３はその断面図である。
【００１７】
図２及び図３に示されているように、レンチヘッド１１１は二股になるように第１のアーム１１１Ａと第２のアーム１１１Ｂとを備えていると共に、第１のアーム１１１Ａと第２のアーム１１１Ｂとの間に、第１及び第２のアーム１１１Ａ、Ｂの先端側（本体１１から離れる側）に開口を有する挟持空間１１２が画成されている。
【００１８】
第１のアーム１１１Ａと第２のアーム１１１Ｂとは、挟持空間１１２に面する第１の端面１２１と第２の端面１２２と（図２参照）をそれぞれ有している。
【００１９】
第１のアーム１１１Ａには、第１の端面１２１に開口を有する第１の摺動溝１１３が第１の端面１２１に対して斜めに延伸するように形成されていると共に、該第１の摺動溝１１３内に第１の挟持ブロック２１が第１の摺動溝１１３に沿って摺動可能、且つ一端部が第１の露出部２１１として挟持空間１１２に露出することができるように取り付けられている。
【００２０】
第２のアーム１１１Ｂには、第２の端面１２２に開口を有する第２の摺動溝１１４が第１の摺動溝１１３に対して平行に、且つ第２の端面１２２に対して斜めに延伸するように形成されていると共に、該第２の摺動溝１１４内に第２の挟持ブロック３１が第２の摺動溝１１４に沿って摺動可能、且つ挟持空間１１２に露出することができる第２の露出部３１１を有するように取り付けられている。
【００２１】
更に、第１の摺動溝１１３内には、第１の挟持ブロック２１を挟持空間１１２に露出させる付勢力を第１の挟持ブロック２１に与える第１の付勢手段２２が取り付けられており、第２の摺動溝１１４内にも、第２の挟持ブロック３１を挟持空間１１２に露出させる付勢力を第２の挟持ブロック３１に与える第２の付勢手段３２が取り付けられている。
【００２２】
この実施形態において、第１の摺動溝１１３は、第１のアーム１１１Ａの先端側から離れるように斜めに延伸して第１のアーム１１１Ａを貫通しないように形成されており、第２の摺動溝１１４は、第２のアーム１１１Ｂの先端側へ斜めに延伸して第２のアーム１１１Ｂを貫通するように形成されている。
【００２３】
更に、第１の挟持ブロック２１には、第１の摺動溝１１３に平行な係止溝２１２が形成されており、第１のアーム１１１Ａを挿通してから係止溝２１２に嵌まり込む制限ブロック２３を用いて、第１の挟持ブロック２１が挟持空間１１２に露出する限界位置を設定する。この実施形態においては、第１の付勢手段２２として、第１の挟持ブロック２１の第１の摺動溝１１３の奥に挿し込まれる奥端面２１３（図２参照）と、第１の摺動溝１１３が第１の端面１２１における開口の反対側に有する底面１１３１と、にそれぞれ当接するように取り付けられている圧縮コイルばねが使用されている。
【００２４】
一方、この実施形態において、第２のアーム１１１Ｂには、第２の摺動溝１１４の第２の端面１２２における開口に隣接する制限壁１２３が形成されていると共に、固定ねじ３４により第２のアーム１１１Ｂに固定されている蓋プレート３３が取り付けられている。また、第２の挟持ブロック３１には、第２の露出部３１１が挟持空間１１２に完全に露出する時、その一面が第２のアーム１１１Ｂの制限壁１２３に当接することができる当接プレート３１３と、当接プレート３１３の第２のアーム１１１Ｂの制限壁１２３に面する側の反対側で当接プレート３１３と直交する設置溝３１２と、が形成されている。更に、蓋プレート３３は、第２の挟持ブロック３１の設置溝３１２に嵌め込まれている制限蓋３３２を有している。
【００２５】
この実施形態において、第２の付勢手段３２として圧縮コイルばねが使用されていると共に、該第２の付勢手段３２は両端が当接プレート３１３と制限蓋３３２とにそれぞれ当接するように、設置溝３１２内に配置されているので、第２の挟持ブロック３１を制限壁１２３側に押し付けて第２の露出部３１１を挟持空間１１２に露出させる付勢力を第２の挟持ブロック３１に与えている。
【００２６】
次いで、図４〜図６を参照して第１の挟持ブロック２１と第２の挟持ブロック３１とがそれぞれ有する第１の露出部２１１と第２の露出部３１１とについて詳しく説明する。
【００２７】
本考案において、第１の挟持ブロック２１の第１の露出部２１１には、第１の摺動溝１１３に平行な第１の挟持面２１１１と、第１の挟持面２１１１の本体１１側で連続的に接続し、且つ第１の挟持面２１１１と第１の所定角度θを成す第２の挟持面２１１２と、第２の挟持面２１１２の本体１１側で連続的に接続し、且つ第１の挟持面２１１１に平行な第３の挟持面２１１３と、第３の挟持面２１１３の本体１１側で連続的に接続し、且つ第２の挟持面２１１２に平行な第４の挟持面２１１４と、第１の挟持面２１１１の第１のアーム１１１Ａの先端側で連続的に接続し、且つ第２の挟持面２１１２に略平行な斜面２１１５と、が形成されている。
【００２８】
第２の挟持ブロック３１の第２の露出部３１１には、第１の挟持面２１１１に平行な第５の挟持面３１１１と、第５の挟持面３１１１の第２のアーム１１１Ｂの先端側で連続的に接続し、前記第５の挟持面３１１１と第２の所定角度φを成す第６の挟持面３１１２と、が形成されている。
【００２９】
第２の所定角度φは、第１の所定角度θより大きい必要があり、この実施形態において、第１の所定角度θは１２０°に設定されており、第２の所定角度φは１４０°に設定されている。
【００３０】
次いで、図６〜図８を用いて、本考案のオープンエンドレンチ１０について詳しく説明する。
【００３１】
図６に示されているように、本考案のオープンエンドレンチ１０は例えば、六角柱状に形成されて１２０°に設定される第１の所定角度θに対応するボルトヘッド１００を作業対象として、該ボルトヘッド１００を図中における右側から第１の挟持面２１１１と第２の挟持面２１１２と第５の挟持面３１１１とで挟持しながら、時計回りにボルトヘッド１００を回すことができる。また、オープンエンドレンチ１０が回しにくい位置にまで回されたら、図７に示されているように反時計回りに回されると、第５の挟持面３１１１と第６の挟持面３１１２とが成す第２の所定角度φが第１の所定角度θより大きいので、第５の挟持面３１１１及び第６の挟持面３１１２と、第１の挟持面２１１１または第２の挟持面２１１２と、でボルトヘッド１００を確実に挟むことができないので、第１の挟持ブロック２１及び第２の挟持ブロック３１は第１の付勢手段２２及び第２の付勢手段３２の付勢力に対抗して、それぞれボルトヘッド１００により第１の摺動溝１１３及び第２の摺動溝１１４にそれぞれ押し込まれるので、ボルトヘッド１００を回転させずに回しやすい位置に戻ることができる。
【００３２】
従って、本考案は第１及び第２のアーム１１１Ａ、１１１Ｂにそれぞれ取り付けられていると共に第１の付勢手段２２及び第２の付勢手段３２により付勢される第１の挟持ブロック２１及び第２の挟持ブロック３１を備えることによって、ラチェットレンチと同じ要領で使用されることができる。
【００３３】
また、図８では本考案のオープンエンドレンチ１０のもう一つの使用状態が示されており、この使用状態では第３の挟持面２１１３と第４の挟持面２１１４と第５の挟持面３１１１とで、ボルトヘッド１００よりサイズが小さいボルトヘッド２００を挟持して回すことができる。
【産業上の利用可能性】
【００３４】
上記構成により、本考案のオープンエンドレンチはナットやねじなどの作業対象を回す度にオープンエンドレンチを作業対象から外してから回しやすい位置でもう一回挟持し直す必要がなく、ラチェットレンチと同じ要領で使用することができるオープンエンドレンチを提供することができる。
【符号の説明】
【００３５】
１０  オープンエンドレンチ
１１  本体
１１１  レンチヘッド
１１１Ａ  第１のアーム
１１１Ｂ  第２のアーム
１１２  挟持空間
１１３  第１の摺動溝
１１３１  底面
１１４  第２の摺動溝
１２１  第１の端面
１２２  第２の端面
１２３  制限壁
２１  第１の挟持ブロック
２１１  第１の露出部
２１１１  第１の挟持面
２１１２  第２の挟持面
２１１３  第３の挟持面
２１１４  第４の挟持面
２１１５  斜面
２１３  奥端面
２２  第１の付勢手段
２３  制限ブロック
３１  第２の挟持ブロック
３１１  第２の露出部
３１１１  第５の挟持面
３１１２  第６の挟持面
３１２  設置溝
３１３  当接プレート
３２  第２の付勢手段
３３  蓋プレート
３３２  制限蓋
３４  固定ねじ
【図１】
0003177648.tif 000003
【図２】
0003177648.tif 000004
【図３】
0003177648.tif 000005
【図４】
0003177648.tif 000006
【図５】
0003177648.tif 000007
【図６】
0003177648.tif 000008
【図７】
0003177648.tif 000009
【図８】
0003177648.tif 000010